(57)【要約】【課題】ビルディング等の各室ごとに割り振られた収納庫の施錠装置において、電気式とする場合と、手動式とする場合のいずれにおいても、施錠位置と解錠位置とにスライドされる一つのロック部材を共用することによって、電気式の場合のロック部材と、手動式の場合のロック部材をそれぞれ備える必要がなく、装置の簡素化と低コスト化を図るものである。【解決手段】扉側に設けた電磁式ソレノイドの非励磁・励磁によって施錠・解錠動作する電気式ロック部材が、扉側に設けたシリンダ錠に差し込まれるキーによって動作する手動式ロック部材に取り付けた作動部と連繋関係にあり、その連繋関係は、通常時の電気式ロック部材の作動は阻害せず、停電時の電気式ロック部材の施錠状態を解錠位置へ強制移動させる関係であること。【選択図】図１０
2012177271.tif 000002
【特許請求の範囲】
【請求項１】
電磁式ソレノイド錠による施錠・解錠状態と、シリンダ錠による手動式施錠・解錠状態
とに選択可能であって、
前記電磁式ソレノイド錠は、電磁式ソレノイドの非励磁にて突出して係止部に係止する
施錠位置となり、前記電磁式ソレノイドの励磁にて退避して前記係止部から外れる解錠位
置となる電気式ロック部材を備え、
前記シリンダ錠は、キーの正回動操作により突出して係止部に係止する施錠位置となり
、前記キーの逆回動操作により退避して係止部から外れる解錠位置となる手動式ロック部
材を備え、
前記手動式ロック部材は、前記突出した状態において、前記係止部に係止する第１の状
態及び係止しない第２の状態とに選択設定可能な作動部を備え、
前記電気式ロック部材は、前記第２の状態にある前記作動部と連繋する連繋部を備え、
前記作動部の設定が前記第１の状態のとき、前記シリンダ錠と前記電磁式ソレノイド錠
の併用状態、またはこの併用されない前記シリンダ錠のみの状態であり、
前記シリンダ錠と前記電磁式ソレノイド錠が取り付けられ且つ前記作動部の設定が前記
第２の状態において、前記電磁式ソレノイドが非励磁のとき前記キーの逆回動操作により
、前記作動部が前記電気式ロック部材を前記係止部から外れる解錠位置へ退避可能とした
ことを特徴とする収納庫の施錠装置。
【請求項２】
電磁式ソレノイド錠とシリンダ錠を備え、
前記電磁式ソレノイド錠は、電磁式ソレノイドの非励磁にて突出して係止部に係止する
施錠位置となり、前記電磁式ソレノイドの励磁にて退避して前記係止部から外れる解錠位
置となる電気式ロック部材を備え、
前記シリンダ錠は、キーの正回動操作により突出して係止部に係止する施錠位置となり
、前記キーの逆回動操作により退避して係止部から外れる解錠位置となる手動式ロック部
材を備え、
前記手動式ロック部材は、前記突出した状態において、前記係止部に係止する第１の状
態及び係止しない第２の状態とに選択設定可能な作動部を備え、
前記電気式ロック部材は、前記第２の状態にある前記作動部と連繋する連繋部を備え、
前記シリンダ錠と前記電磁式ソレノイド錠が取り付けられ、前記作動部が前記第２の状
態に設定され且つ前記手動式ロック部材が前記突出した状態では、前記作動部は前記電磁
式ソレノイドの非励磁及び励磁により生じる前記電気式ロック部材の施錠位置への突出及
び解錠位置への退避動作を阻害しない状態であって、且つ、前記電磁式ソレノイドが非励
磁のとき前記キーの逆回動操作により、前記作動部が前記電気式ロック部材を前記係止部
から外れる解錠位置へ退避可能とした
ことを特徴とする収納庫の施錠装置。
【請求項３】
前記シリンダ錠及び前記電磁式ソレノイド錠は前記収納庫の扉側に配置され、前記係止
部が前記収納庫の本体側または前記扉の開閉用把手によって回動する可動軸に設けられた
ことを特徴とする請求項１または２に記載の収納庫の施錠装置。
【請求項４】
前記扉を引き出しとしたことを特徴とする請求項１乃至３のいずれかに記載の収納庫の
施錠装置。
【発明の詳細な説明】
【技術分野】
【０００１】
本発明は、収納室の前面開口を水平回転式の扉によって開閉するロッカーや引き出し等
の収納庫の施錠装置に関する。
【背景技術】
【０００２】
従来、ロッカー等の収納庫の代表的なものとして、一つのビルディング内の各部屋（オ
フィス）に対応してセキュリティロッカーが設置され、各部屋（オフィス）の外（ドア近
辺）に親機が設置されており、カードを親機にかざすことにより、通信によってロッカー
に内蔵した子機が待機状態になる。この状態で、そのロッカーの扉にあるボタンを押した
ら、扉の施錠装置が解錠される動作を行なう電気式のものがあるが、電気式のものでは、
停電等の電気的なトラブルが生じた場合に施錠・解錠が行われない状態となることに対処
するために、非常時でも手動式の錠（キー）の使用により施錠・解錠を行うことができる
扉の施錠装置がある（特許文献１参照）。
【０００３】
特許文献１のものは、既存のシリンダ錠１０の作動板１５に減速モーター２４を取り付
け、作動板１５に並列に作動アーム１６を配置し、減速モーター２４の出力軸に取り付け
られたピニオンギア２５と作動アーム１６に固定されたラック２６からなる変換機構を介
して、作動板１５の移動方向に沿って作動アーム１６が摺動するように構成しており、通
常使用はリモコン等の遠隔操作により、減速モーター２４の正回転にて作動アーム１６が
突出して施錠し、減速モーター２４の逆回転にて作動アーム１６が退避して解錠される。
しかし、施錠状態において停電等の電気的なトラブルが生じた場合には、手動式のキーを
シリンダ錠１０に差し込み回転させることにより作動板１５を摺動させ、それに伴ってピ
ニオンギア２５とラック２６との噛み合いを介して作動アーム１６が退避することにより
、解錠される仕組みである。
【先行技術文献】
【特許文献】
【０００４】
【特許文献１】特開２００３−９７１０８号公報
【発明の概要】
【発明が解決しようとする課題】
【０００５】
このように、特許文献１のものは、常時、既存のシリンダ錠１０によって左右に作動板
１５を摺動する手動式機構と、減速モーター２４の正回転・逆回転にて左右に作動アーム
１６を摺動する電気式機構との両方を備えたものであり、シリンダ錠１０による手動式機
構の場合は、減速モーター２４を含む電気式機構を介して施錠・解錠する仕組みであるた
め、装置として複雑であること、モーターを停止するためのリミットスイッチが必要とな
り、制御における信頼性がソレノイド式に比して低下すること、また、減速モーター２４
にギアを使用するため、ギアのかみ合せの精度が重要となり、精度や耐久性によっては空
回りすることのない精度が要求されるものとなり、コストアップになることが懸念される
。
【０００６】
本発明は、特許文献１の方式ではなく、手動式のキーを使用するシリンダ錠によって、
ロッカー等の収納庫の扉の施錠・解錠を行う手動式施錠装置と、電磁式ソレノイドの非励
磁・励磁によって施錠・解錠を行う電気式施錠装置のいずれにも変更することができる構
成を提供する。
【０００７】
また、本発明は、電気式施錠装置とした場合において、シリンダ錠を付加しておくこと
によって、停電等によって電磁式ソレノイドへの通電ができない場合においても、シリン
ダ錠によって扉の施錠状態を手動で解錠を行うことができるようにすることによって、停
電時に扉を容易に開けることが可能な技術を提供するものである。
【０００８】
本発明の収納庫の施錠装置は、施錠・解錠を行う施錠装置を扉側に設け、施錠時には扉
側からロック部材が突出して収納庫本体側の係止部へ係止して扉を閉止状態に保持し、解
錠時には前記係止部から前記ロック部材が退避して扉を開放可能とするものであり、電気
式の場合は、例えば、親機にカードキーを近接させることによって、このカードキーに対
応した所定の収納庫の扉に設けた電磁式ソレノイドの非励磁・励磁によって、電気式ロッ
ク部材が施錠位置と解錠位置とにスライドされるものである。一方、これを手動式に適用
する場合は、手動式のキーによって施錠・解錠を行うシリンダ錠を扉側に設け、施錠時に
は扉側から手動式ロック部材が突出して収納庫本体側の係止部へ係止して扉を閉止状態に
保持し、解錠時には前記係止部から手動式ロック部材が退避して扉を開放可能とするもの
である。
【０００９】
また、本発明では、シリンダ錠を電気式施錠装置の停電保障装置として有効利用できる
技術を提供するために、電気式の場合において、停電などによって電磁式ソレノイドへの
通電が遮断した場合の施錠状態の解錠のために、扉にシリンダ錠を取り付けておき、手動
キーの操作によってシリンダ錠を施錠方向へ回しても、手動ロック部材によって扉が施錠
されることはないが、電磁式ソレノイドへの通電が遮断した場合には、電気式ロック部材
が施錠位置のままとなるため、そのときは、手動キーの操作によってシリンダ錠を解錠方
向へ回すことにより、電気式ロック部材が解錠位置に移動される構成とするものである。
【課題を解決するための手段】
【００１０】
第１発明の収納庫の施錠装置は、電磁式ソレノイド錠による施錠・解錠状態と、シリン
ダ錠による手動式施錠・解錠状態とに選択可能であって、
前記電磁式ソレノイド錠は、電磁式ソレノイドの非励磁にて突出して係止部に係止する
施錠位置となり、前記電磁式ソレノイドの励磁にて退避して前記係止部から外れる解錠位
置となる電気式ロック部材を備え、
前記シリンダ錠は、キーの正回動操作により突出して係止部に係止する施錠位置となり
、前記キーの逆回動操作により退避して係止部から外れる解錠位置となる手動式ロック部
材を備え、
前記手動式ロック部材は、前記突出した状態において、前記係止部に係止する第１の状
態及び係止しない第２の状態とに選択設定可能な作動部を備え、
前記電気式ロック部材は、前記第２の状態にある前記作動部と連繋する連繋部を備え、
前記作動部の設定が前記第１の状態のとき、前記シリンダ錠と前記電磁式ソレノイド錠
の併用状態、またはこの併用されない前記シリンダ錠のみの状態であり、
前記シリンダ錠と前記電磁式ソレノイド錠が取り付けられ且つ前記作動部の設定が前記
第２の状態において、前記電磁式ソレノイドが非励磁のとき前記キーの逆回動操作により
、前記作動部が前記電気式ロック部材を前記係止部から外れる解錠位置へ退避可能とした
ことを特徴とする。
【００１１】
第２発明の収納庫の施錠装置は、電磁式ソレノイド錠とシリンダ錠を備え、
前記電磁式ソレノイド錠は、電磁式ソレノイドの非励磁にて突出して係止部に係止する
施錠位置となり、前記電磁式ソレノイドの励磁にて退避して前記係止部から外れる解錠位
置となる電気式ロック部材を備え、
前記シリンダ錠は、キーの正回動操作により突出して係止部に係止する施錠位置となり
、前記キーの逆回動操作により退避して係止部から外れる解錠位置となる手動式ロック部
材を備え、
前記手動式ロック部材は、前記突出した状態において、前記係止部に係止する第１の状
態及び係止しない第２の状態とに選択設定可能な作動部を備え、
前記電気式ロック部材は、前記第２の状態にある前記作動部と連繋する連繋部を備え、
前記シリンダ錠と前記電磁式ソレノイド錠が取り付けられ、前記作動部が前記第２の状
態に設定され且つ前記手動式ロック部材が前記突出した状態では、前記作動部は前記電磁
式ソレノイドの非励磁及び励磁により生じる前記電気式ロック部材の施錠位置への突出及
び解錠位置への退避動作を阻害しない状態であって、且つ、前記電磁式ソレノイドが非励
磁のとき前記キーの逆回動操作により、前記作動部が前記電気式ロック部材を前記係止部
から外れる解錠位置へ退避可能とした
ことを特徴とする。
【００１２】
第３発明の収納庫の施錠装置は、第１発明または第２発明において、前記シリンダ錠及
び前記電磁式ソレノイド錠は前記収納庫の扉側に配置され、前記係止部が前記収納庫の本
体側または前記扉の開閉用把手によって回動する可動軸に設けられたことを特徴とする。
【００１３】
第４発明の収納庫の施錠装置は、第３発明において、前記扉を引き出しとしたことを特
徴とする。
【発明の効果】
【００１４】
本発明では、電磁式ソレノイド錠により施錠・解錠する電気式と、シリンダ錠に差し込
まれるキーの回動操作によって施錠・解錠する手動式のいずれの場合にも適用可能となり
、収納庫の施錠装置として利用範囲が広くなる。また、電磁式ソレノイド錠の場合に停電
が生じて施錠状態が維持された場合の解錠が、シリンダ錠を利用して容易に行なえるもの
となり、停電時の解錠保障ができるものとなる。
【００１５】
また本発明では、シリンダ錠の手動式ロック部材の先端部に、係止部に係止する第１の
状態と、係止しない第２の状態とに選択設定可能な作動部を設け、この作動部が電磁式ソ
レノイド錠の電気式ロック部材と連繋するようにすることにより、簡単な構成によって前
記停電時の解錠保障ができる。
【００１６】
また、前記作動部は、シリンダ錠の手動式ロック部材の先端部に、ネジによって第１の
状態と第２の状態とに設定可能とすることによって、この作動部が紛失する虞がなくなり
、この作動部の保管管理がし易くなる。
【００１７】
なお、本発明の収納庫の施錠装置は、電気式施錠装置として、例えば、一つのビルディ
ング内の各部屋（オフィス）に対応してセキュリティロッカーが設置され、各部屋（オフ
ィス）の外（ドア近辺）に親機が設置されており、カードを親機にかざすことにより、通
信によってロッカーに内蔵した子機が待機状態になる。この状態で、そのロッカーの扉に
あるボタンを押したら、扉の施錠装置が解錠される動作を行なうシステムに適するもので
ある。
【００１８】
また、本発明の収納庫の施錠装置は、引き出しにおいても、同様の効果を奏することが
できる。
【図面の簡単な説明】
【００１９】
【図１】本発明に係る施錠装置を備えた多数の収納庫の設置状態を示す図である。
【図２】本発明に係る施錠装置を備えた収納庫の正面拡大図である。
【図３】本発明に係る収納庫の施錠装置のロック部材と係止部との部分を断面で示す説明図である。
【図４】本発明に係る手動式施錠装置を備えた施錠装置の扉裏側から見た斜視図である。
【図５】本発明に係る手動式施錠装置を備えた施錠装置の解錠状態を示す図である。
【図６】本発明に係る手動式施錠装置を備えた施錠装置の施錠状態を示す図である。
【図７】本発明に係る手動式施錠装置のロック部材が施錠状態へ突出した斜視図である。
【図８】本発明に係る手動式施錠装置のロック部材が解錠状態へ退避した斜視図である。
【図９】本発明に係る手動式施錠装置のロック部材の一部である作動部の斜視図である。
【図１０】本発明に係る手動式施錠装置と電気式施錠装置を備えた施錠装置の扉裏側から見た斜視図である。
【図１１】本発明に係る電気式施錠装置の斜視図である。
【図１２】本発明に係る手動式施錠装置と電気式施錠装置を備えた施錠装置の組み合わせにおける電気式施錠装置の解錠状態を示す図である。
【図１３】本発明に係る手動式施錠装置と電気式施錠装置を備えた施錠装置の組み合わせにおける電気式施錠装置の施錠状態を示す図である。
【図１４】本発明に係る手動式施錠装置と電気式施錠装置を備えた施錠装置の組み合わせにおける電気式施錠装置の停電状態での強制解錠状態を示す図である。
【図１５】本発明に係る施錠装置を縦長ロッカーへ適用した場合の斜視図である。
【図１６】図１５の縦長ロッカーにおける施錠装置を備えた扉の裏面図である。
【図１７】図１３の縦長ロッカーにおける施錠装置がロッカー本体側の係止部へ係脱する状態の説明図である。
【図１８】図１５の縦長ロッカーにおける施錠装置のロック部材の解錠位置と施錠位置とを示す説明図である。
【発明を実施するための形態】
【００２０】
本発明の収納庫の施錠装置は、電磁式ソレノイド錠による施錠・解錠状態と、シリンダ
錠による手動式施錠・解錠状態とに選択可能であって、
前記電磁式ソレノイド錠は、電磁式ソレノイドの非励磁にて突出して係止部に係止する
施錠位置となり、前記電磁式ソレノイドの励磁にて退避して前記係止部から外れる解錠位
置となる電気式ロック部材を備え、
前記シリンダ錠は、キーの正回動操作により突出して係止部に係止する施錠位置となり
、前記キーの逆回動操作により退避して係止部から外れる解錠位置となる手動式ロック部
材を備え、
前記手動式ロック部材は、前記突出した状態において、前記係止部に係止する第１の状
態及び係止しない第２の状態とに選択設定可能な作動部を備え、
前記電気式ロック部材は、前記第２の状態にある前記作動部と連繋する連繋部を備え、
前記作動部の設定が前記第１の状態のとき、前記シリンダ錠と前記電磁式ソレノイド錠
の併用状態、またはこの併用されない前記シリンダ錠のみの状態であり、
前記シリンダ錠と前記電磁式ソレノイド錠が取り付けられ且つ前記作動部の設定が前記
第２の状態において、前記電磁式ソレノイドが非励磁のとき前記キーの逆回動操作により
、前記作動部が前記電気式ロック部材を前記係止部から外れる解錠位置へ退避可能とした
ものである。以下、本発明の実施例を記載する。
【実施例１】
【００２１】
本発明の実施例を図に基づき説明する。本発明に係る収納庫（ロッカーとも称す）１は
、例えば、一つのビルディング内の各部屋（オフィス）に対応してセキュリティロッカー
が設置され、各部屋（オフィス）の外（ドア近辺）に親機が設置されており、カードを親
機にかざすことにより、通信によってロッカーに内蔵した子機が待機状態になる。この状
態で、そのロッカー１の扉３にあるボタン３Ａを押したら、扉３の施錠装置３０が解錠さ
れる動作を行なう電気式のものに適用するものである。
【００２２】
各部屋（オフィス）ごとに割り振られた収納庫１は、ビルディング内の入り口（玄関ホ
ール内）や適当な領域に設置される。各部屋（オフィス）の外（ドア近辺）には、施錠装
置３０の作動に係る親機５が設置され、各収納庫１の扉３の内部には、親機５と無線また
は有線にて電気的に関係付けられた子機７が収容されている。
【００２３】
このため、オフィスの社員が持参しているカードキー４を親機５に近接または当接させ
ることによって、親機５に内蔵した電気的判定手段によって、このカードキー４に記憶さ
れている特定コードが読み取られ、その判定結果がロッカー１に内蔵した子機７へ送信さ
れ、子機７が待機状態になる。この状態で、そのロッカー１の扉３にあるボタン３Ａを押
したら、扉３の施錠装置３０が解錠される動作を行なうシステムである。
【００２４】
収納庫１は、収納庫１の本体２の前面開口が、一部分に把手６を備えた扉３にて開閉さ
れる。扉３の左右の一方側（図示のものは右側）が、上下方向軸８を含む軸支持部にて左
右に開閉可能に支持されている。図示の場合は、上下方向軸８を中心として左右に開閉可
能に本体２に支持されている。各収納庫１の扉３ごとに、扉３内に施錠装置３０が取り付
けられている。施錠装置３０は、ロック部材１０または１７が突出して本体２側の係止部
９または後述の４１へ係止することにより、扉３を閉止状態に保持する施錠位置となり、
ロック部材１０または１７が係止部９または４１から退避して扉３を開放可能とする解錠
位置となる動作をする。
【００２５】
本発明の施錠装置３０は、電気式施錠装置３０Ａと、手動式施錠装置３０Ｂのいずれか
一方、または両方を備えたものとすることができるように構成されている。このため、電
気式施錠装置３０Ａを備える部分及び手動式施錠装置３０Ｂを備える部分とを形成した第
１ケース３１が、各扉３の裏側に取り付けられている。図示のものは、第１ケース３１に
電気式施錠装置３０Ａ（電磁式ソレノイド錠３０Ａという）と手動式施錠装置３０Ｂ（シ
リンダ錠３０Ｂという）の両方を備えた状態のものを示している。
【００２６】
電磁式ソレノイド錠３０Ａ及びシリンダ錠３０Ｂは、第１ケース３１の裏側に取り付け
られる支持板３２に支持されている。電磁式ソレノイド錠３０Ａは、子機７の動作によっ
て励磁・非励磁となる電磁式ソレノイド１３と、電磁式ソレノイド１３の励磁・非励磁に
よって摺動する電気式ロック部材１０を備えている。
【００２７】
ロック部材１０は、ロック部材１０の先端１０Ａが施錠位置へ突出し、また解錠位置へ
退避する動作をするように、支持板３２に支持されている。図示の構成では、ロック部材
１０は、、支持板３２のガイド部（図示せず）に左右方向に移動可能に支持されている。
ロック部材１０は、先端１０Ａの反対側の連結部１０Ｂが、電磁式ソレノイド１３の可動
部１４に連結されており、電磁式ソレノイド１３の非励磁によって、可動部１４に付与し
たコイルバネ１１によって可動部１４が突出し、それに伴ってロック部材１０は突出して
、その先端１０Ａが本体２側の係止部９へ係止し、扉３を閉止状態に保持する施錠位置と
なる。また、電磁式ソレノイド１３の励磁によって、可動部１４はコイルバネ１１に抗し
て吸引され、それに伴ってロック部材１０は退避し、その先端１０Ａが本体２側の係止部
９から脱し、扉３を開放可能とする（開くことができる）解錠位置となる。
【００２８】
シリンダ錠３０Ｂは、第１ケース３１の裏面にシリンダ錠本体１５が取り付けられ、こ
のシリンダ錠本体１５は、手動操作キー１６が差し込まれるキー孔１５Ａを扉３の前面側
に臨ませており、このキー孔１５Ａに差し込まれるキー１６の回動操作によって、電気式
ロック部材１０が左右方向に移動する方向と平行に移動する手動式ロック部材１７を備え
、この手動式ロック部材１７の図５等での右方向移動によって扉３を閉止状態に保持する
施錠位置となり、手動式ロック部材１７の図５等での左方向移動によって扉３を開放可能
とする（開くことができる）解錠位置となる。
【００２９】
本発明の収納庫１の施錠装置３０は、電磁式ソレノイド錠３０Ａとシリンダ錠３０Ｂの
いずれか一方を備えることによって、電磁式ソレノイド錠３０Ａによる施錠・解錠状態と
、シリンダ錠３０Ｂによる手動式施錠・解錠状態のいずれを選ぶか選択可能である。
【００３０】
また、本発明の収納庫１の施錠装置３０は、電磁式ソレノイド錠３０Ａとシリンダ錠３
０Ｂの両方を備え、シリンダ錠３０Ｂによる手動式施錠・解錠を行なわず、電磁式ソレノ
イド錠３０Ａによる施錠・解錠状態に設定された状態において、停電時に施錠状態になっ
たままの状態をシリンダ錠３０Ｂの機構を利用して、この施錠状態を解錠できるようにす
る。このため、手動式ロック部材１７は、突出した状態において、係止部９または４１に
係止する第１の状態及び係止しない第２の状態とに選択設定可能な作動部１２を先端に備
え、ロック部材１０には、この作動部１２がロック部材１０と係合する連繋部１８を形成
している。作動部１２は手動式ロック部材１７の一部である先端部が、前記第１の状態及
び第２の状態に選択設定可能な構成である。
【００３１】
手動式ロック部材１７の先端部には切り起こし形成した係止片ＳＴを備えており、シリ
ンダ錠３０Ｂのみを扉３に取り付けて扉３の施錠・解錠を行なう場合（上記第１の状態の
場合）は、作動部１２の下端がこの係止片ＳＴに当接した状態でネジＮＪにて固定される
。このため、作動部１２は、図５で示すように、ロック部材１７の長さを実質的に延長す
るために、ロック部材１７の先端から施錠移動方向（図５で右方向）へ突出した状態であ
り、この状態に安定に保持される。
【００３２】
この状態で、シリンダ錠１５に差し込まれるキー１６を施錠方向へ向けて正方向回動操
作することによって、図６に示すように、ロック部材１７が右方向へ突出し、作動部１２
が係止部９または４１に係止する施錠状態となる。また、この状態から、キー１６を解錠
方向へ向けて逆方向回動操作することによって、図５に示すように、ロック部材１７が右
方向へ退避して作動部１２が係止部９または４１との係止から外れ、解錠状態となる。
【００３３】
次に、電磁式ソレノイド錠３０Ａとシリンダ錠３０Ｂの両方を備え、シリンダ錠３０Ｂ
による手動式施錠・解錠を行なわず、電磁式ソレノイド錠３０Ａによる施錠・解錠状態に
設定された状態において、停電時に施錠状態になったままの状態をシリンダ錠３０Ｂの機
構を利用して、この施錠状態を解錠できるようにした構成を記載する。この場合、本発明
に係る施錠装置３０を縦長収納庫１（以下、縦長ロッカー１という）へ適用した場合の構
成について以下に記載するものとする。
【００３４】
この場合は、ロック部材１７による施錠が達成されないように、ロック部材１７の長さ
を実質的に短くする状態となるように、作動部１２は、図１２に示すように、作動部１２
がロック部材１７の先端部から下向きになるようにし、ロック部材１７の端部が係止片Ｓ
Ｔに当接した状態で、ネジＮＪにて固定される。このため、図１２において、作動部１２
を反時計方向へ回動させる作用力が働いても、係止片ＳＴによってその回動が阻止され、
作動部１２を安定に保持できるものとなる。
【００３５】
この場合は、作動部１２は、電気式ロック部材１０の一部に凹部で形成した連繋部１８
に進入した状態である。この状態において、電磁式ソレノイド１３の非励磁・励磁によっ
て電気式ロック部材１０が左右方向へ移動しても、作動部１２がこの電気式ロック部材１
０の左右方向移動の邪魔にならないようにするために、上記のようにシリンダ錠１５のみ
の場合に施錠状態となる位置まで、シリンダ錠１５に差し込まれるキー１６を施錠方向へ
向けて正方向回動操作することにより、この位置にロック部材１７が保たれている。この
ため、電磁式ソレノイド１３の励磁状態（電気式ロック部材１０の先端１０Ａが係止部９
または４１に係止しない解錠状態）では、図１２に示すように、作動部１２は連繋部１８
の前部に位置してロック部材１０の先端部１０Ａよりも若干後方位置にある。また、電磁
式ソレノイド１３の非励磁状態（電気式ロック部材１０の先端１０Ａが係止部９または４
１に係止する施錠状態）では、図１３に示すように、作動部１２は連繋部１８の後部に形
成したロック部材１０の押し戻し部１０Ｐよりも若干前方位置にある。
【００３６】
このように、電磁式ソレノイド１３の非励磁・励磁によって電気式ロック部材１０が施
錠位置・解錠位置へ向けて左右方向へ移動しても、作動部１２がこの電気式ロック部材１
０の左右方向移動の邪魔にならないため、電磁式ソレノイド錠３０Ａによる安定した施錠
・解錠動作を得ることができる。この場合において、電気式ロック部材１０が施錠位置に
突出した状態（電磁式ソレノイド１３の非励磁状態）において、停電等の電気的支障が生
じた場合は、カードキー４を親機５に近接させて解錠しようとしても、電磁式ソレノイド
装置１３は非励磁のままであり、扉３が閉まったままとなる。この場合、扉３を開けるた
めには、シリンダ錠１５にキー１６を差し込み、解錠方向へ回動操作することによって、
ロック部材１７が解錠方向へ移動し、それに伴なって先端部の作動部１２が連繋部１８の
後方側の押し戻し部１０Ｐを押し、ロック部材１０をバネ１１に抗して解錠方向（図１３
で左方向）へ退避させ、遂にロック部材１０の先端１０Ａが本体２側の係止部９または後
述の４１から脱し、扉３を開くことができる解錠位置となる。
【００３７】
このように、電気式において、非常時の解錠のためにシリンダ錠１５を設けておくこと
ができ、この場合のシリンダ錠１５を操作するキー１６の管理は、マンションの管理人が
行うことにより、ロッカーの管理が安全に行えるものとなる。
【００３８】
本発明に係る施錠装置３０を引き出しに適用する場合は、上記の構成の施錠装置３０を
引き出しの前面壁の裏側に取り付ければ、上記同様の機能によって、引き出しの施錠・解
錠が達成される。
【００３９】
図１５は、本発明に係る施錠装置３０を縦長収納庫１（以下、縦長ロッカー１という）
へ適用した場合の斜視図、図１６は、図１５の縦長ロッカー１における施錠装置３０を備
えた扉３の裏面の配置図である。また、図１７は、図１５の縦長ロッカー１における施錠
装置３０がロッカー本体２側の係止部９へ係脱する状態の説明図、図１８は、図１５の縦
長ロッカー１における施錠装置３０のロック部材１０の解錠位置を（イ）で示し、施錠位
置を（ロ）で示す説明図である。
【００４０】
この縦長ロッカー１は、縦長ロッカー１の本体２の前面開口が、一部分に把手６を備え
た扉３にて開閉される。扉３の左右の一方側（図示のものは右側）が実施例１と同様に、
上下方向軸８を含む軸支持部にて左右に開閉可能に支持されている。各縦長ロッカー１の
扉３ごとに、扉３内に施錠装置３０が取り付けられている。施錠装置３０は、ロック部材
１０の突出にて扉３を閉止状態に保持する施錠位置となり、ロック部材１０の退避にて扉
３を開放可能とする解錠位置となる動作をする。
【００４１】
具体的構成として、本発明の施錠装置３０は、扉３の裏側に第１ケース３１にて取り付
けられる。扉３には、縦長ロッカー１の表側から操作される把手６と、この把手６の基部
に固定された上下方向の可動軸４０が扉３の裏側に回動可能に扉３の上下壁に支持され、
この可動軸４０は、電気式施錠装置３０Ａのロック部材１０の先端１０Ａに係脱する係止
部４１を固定状態に備えている。また、可動軸４０の上下の一端または両端には、可動軸
４０の回動に伴って本体２側の係止部９へ係脱する鉤状のロック片４２を備えている。可
動軸４０には、扉３が閉じた状態で、鉤状のロック片４２が本体２側の係止部９へ係止し
た状態を保持する向き（図１７の実線状態）に付勢されるように、コイルバネ４３を備え
ている。
【００４２】
このため、把手６に指を掛けて、コイルバネ４３のバネ力に抗して引っ張っることによ
って、可動軸４０が回転し、それに伴って鉤状のロック片４２は、図１７に二点鎖線で示
すように回動する関係にある。
【００４３】
この構成において、扉３が閉じた状態では、コイルバネ４３によって鉤状のロック片４
２が本体２側の係止部９へ係止した状態（図１７の実線状態）である。この状態で、上記
実施例１のように、施錠装置３０が施錠状態にあるときは、ロック部材１０が突出して、
図１８（ロ）に示すように、ロック部材１０の先端１０Ａは、係止部４１に重合して係止
する対向位置（縦長ロッカー１から見れば正面側）に進出した状態である。これと共に、
ロック片４２が本体２側の係止部９へ係止した状態（図１７の実線状態）である。このた
め、把手６に指を掛けてコイルバネ４３のバネ力に抗して引っ張っても、係止部４１がロ
ック部材１０の先端１０Ａに当接して、矢印Ｙの方向へ回転は阻止され、解錠されず施錠
状態が維持されたままであり、扉３を開くことができない。
【００４４】
この施錠状態において、上記のように、解錠状態となれば、ロック部材１０が退避し、
図１８（イ）に示すように、ロック部材１０の先端１０Ａは、上記係止部４１の対向位置
から外れた退避状態となる。このため、把手６に指を掛けてコイルバネ４３のバネ力に抗
して引っ張れば、それに伴って可動軸４０が図１８の（イ）のＹ方向へ回動し、この回動
に伴って係止部４１及びロック片４２が、図１８（イ）及び図１７のＹ方向へ回動し、ロ
ック片４２が本体２側の係止部９から脱するため、把手６を引っ張れば扉３が開く。
【００４５】
ロック部材１０が退避した状態において、再び扉３を閉じれば、ロック片４２が本体２
側の係止部９へ係止した状態（図１７の実線状態）になると共に、係止部４１は図１８（
イ）に示す位置へ復帰し、この状態で施錠動作を待つ。上記のように、施錠動作が行なわ
れることによって、ロック部材１０が突出して、図１８（ロ）に示すように、ロック部材
１０の先端１０Ａは、係止部４１に重合して係止する対向位置（縦長ロッカー１から見れ
ば正面側）に進出した状態となり、上記同様に施錠状態となる。
【００４６】
このように、施錠装置３０は、ロック部材１０の突出にて扉３を閉止状態に保持する施
錠位置となり、ロック部材１０の退避にて扉３を開放可能とする解錠位置となる動作をす
ることとなる。
【００４７】
なお、図３に示すように、ロック部材１０または１７が施錠位置へ突出したことにより
、係止部９に係止する構成であっても、本発明の趣旨は変わらない。
【００４８】
なお、シリンダ錠１５を設けず、電磁式ソレノイド錠３０Ａのみを扉３に取り付けた場
合は、電磁式ソレノイド１３の非励磁にて、コイルバネ１１のバネ力によって電気式ロッ
ク部材１０が突出（図１２では右方へ移動）して係止部９または４１に係止する施錠位置
（図１３）となり、電磁式ソレノイド１３の励磁にて、コイルバネ１１のバネ力に抗して
電気式ロック部材１０が退避（図１２では左方へ移動）して係止部９または後述の４１か
ら外れる解錠位置（図１２）となる。
【産業上の利用可能性】
【００４９】
本発明の収納庫の施錠装置は、上記実施例に示した構成に限定されず、種々の形態のも
のに適用できるものであり、本発明の技術範囲において種々の形態を包含するものである
。
【符号の説明】
【００５０】
１・・・・収納庫（ロッカー）
２・・・・収納庫の本体
３・・・・扉
４・・・・カードキー
５・・・・親機
６・・・・把手
７・・・・子機
８・・・・軸
９・・・・係止部
１０・・・電気式ロック部材
１０Ａ・・電気式ロック部材の先端部
１０Ｐ・・押し戻し部
１１・・・コイルバネ
１２・・・作動部
１３・・・電磁式ソレノイド装置
１４・・・電磁式ソレノイド装置の可動部
１５・・・シリンダ錠
１６・・・キー
１７・・・手動式ロック部材
１８・・・連繋部
３０・・・施錠装置
３０Ａ・・電気式施錠装置
３０Ｂ・・手動式施錠装置
３１・・・第１ケース
３２・・・支持板
４０・・・可動軸
４１・・・係止部
４２・・・ロック片
４３・・・コイルバネ
【図１】
2012177271.tif 000003
【図２】
2012177271.tif 000004
【図３】
2012177271.tif 000005
【図４】
2012177271.tif 000006
【図５】
2012177271.tif 000007
【図６】
2012177271.tif 000008
【図７】
2012177271.tif 000009
【図８】
2012177271.tif 000010
【図９】
2012177271.tif 000011
【図１０】
2012177271.tif 000012
【図１１】
2012177271.tif 000013
【図１２】
2012177271.tif 000014
【図１３】
2012177271.tif 000015
【図１４】
2012177271.tif 000016
【図１５】
2012177271.tif 000017
【図１６】
2012177271.tif 000018
【図１７】
2012177271.tif 000019
【図１８】
2012177271.tif 000020